(57)【特許請求の範囲】
【請求項１】
給紙時に給紙ローラによって紙送りローラに用紙を搬送し、その後紙送りローラによって用紙を記録準備位置に搬送し、記録時に前記紙送りローラによって用紙を給紙時と逆方向に搬送しながら用紙への記録および排紙を実行するとともに、記録時に用紙に重ね記録をする際には、記録後に給紙方向と同一方向に用紙を搬送することのできる給紙装置であって、
駆動モータの回転駆動力が伝達され、前記紙送りローラに回転駆動力を伝達するための紙送りローラ駆動ギアと、
前記紙送りローラ駆動ギアに常に噛合する中間ギアと、
前記中間ギアに常に噛合するメインギアおよびこのメインギアと同軸上に形成され前記メインギアと一体回転するサブギアを具備する主伝達ギアと、
前記主伝達ギアと同軸上に回転自在に支持された揺動板に回転可能にそれぞれ支持され、それぞれ前記主伝達ギアのサブギアに常に噛合する第１ギアおよび第２ギアを具備する揺動ギアと、
給紙時における前記主伝達ギアの一方の回転方向への駆動にともなって前記揺動ギアの第１ギアが選択的に噛合される副伝達ギアと、
記録時における前記主伝達ギアの他方の回転方向への駆動にともなって前記揺動ギアの第２ギアが選択的に噛合され、前記給紙ローラに回転駆動力を伝達するための前記副伝達ギアに常に噛合する給紙ローラ駆動ギアと、
給紙時、記録時、重ね記録をする前の記録準備位置への搬送時、排紙時における前記駆動モータの回転方向を制御するための制御部と、
を有し、
前記給紙ローラの周速が前記紙送りローラの周速より遅くなるように形成し、
前記用紙に重ね記録をするために重ね記録をする前の記録準備位置への用紙の搬送を行う際には、前記揺動ギアの第２ギアが前記給紙ローラ駆動ギアに噛合した状態を保持するように構成したことを特徴とする給紙装置。
【請求項２】
前記給紙ローラの周速が、前記紙送りローラ駆動ギアと前記給紙ローラ駆動ギアとの回転比によって前記紙送りローラの周速より遅くなるように構成されていることを特徴とする請求項１に記載の給紙装置。
【請求項３】
前記給紙ローラの周速が、前記紙送りローラと前記給紙ローラとの径比によって前記紙送りローラの周速より遅くなるように構成されていることを特徴とする請求項１に記載の給紙装置。
【発明の詳細な説明】
【０００１】
【発明の属する技術分野】
本発明は、給紙装置に係り、特に、用紙に重ね記録をするために、重ね記録をする前の記録準備位置への用紙の搬送を円滑に行うのに好適な給紙装置に関する。
【０００２】
【従来の技術】
一般に、コンピュータ、ワードプロセッサ、ファクシミリなどの出力装置として用いられている熱転写プリンタ、インクジェットプリンタ、レーザビームプリンタなどの各種のプリンタにおいては、用紙に所望の記録を行う場合、複数枚の用紙が収納された分離機構を具備する給紙トレイ（給紙カセット）をプリンタ本体に装着し、この給紙トレイに収納された用紙を回転駆動する給紙ローラに当接させて給紙ローラを回転駆動させることで、分離機構により上方から１枚づつ分離するとともに、紙送りローラに向かって搬送し、その後紙送りローラの回転駆動力をもって搬送することで給紙されるようになっている。
【０００３】
すなわち、従来の給紙装置における給紙時の用紙の搬送は、用紙の給紙トレイから紙送りローラへの搬送を給紙ローラが分担し、その後の用紙の搬送を紙送りローラが分担するように構成されている。
【０００４】
なお、紙送りローラによる用紙の搬送は、紙送りローラと、この紙送りローラの外周面に従動回転可能に配設された補助ローラとの間に挟持されるようにして走行可能とされている。
【０００５】
また、従来の給紙装置は、小型化、低コスト化を図るため１つの駆動モータで紙送りローラおよび給紙ローラを駆動するとともに、給紙ローラが排紙ローラを兼用する構成とされているものが知られている。
【０００６】
このような給紙装置においては、複数色のインクを重ねてフルカラー記録などの記録を行うことができるように、給紙時に給紙ローラによって紙送りローラに用紙を搬送し、その後紙送りローラによって用紙を記録準備位置に搬送し、用紙に記録を行う記録時に前記紙送りローラによって用紙を給紙時と逆方向に搬送しながら用紙への記録および排出を実行するとともに、記録時に用紙に重ね記録をする際には、記録後に給紙方向と同一方向に用紙を搬送することができるように形成されている。
【０００７】
すなわち、最初に給紙ローラおよび紙送りローラを用いて用紙の給紙を実行し、その後、紙送りローラの駆動力によって給紙方向とは逆方向に用紙を搬送しながら用紙に記録を行う記録と、この記録後に、用紙を記録準備位置に戻すための紙送りローラの駆動力によって給紙方向に用紙を搬送して記録準備位置に戻す搬送とを所定回数繰り返し、最後の記録を行った後、用紙をそのまま外部に排出するように構成されている。
【０００８】
したがって、記録時および排紙時における用紙の搬送方向を給紙時の紙送り方向に対して逆方向に搬送（逆搬送）し、重ね記録をする前の記録準備位置への搬送時における用紙の搬送方向を給紙時の紙送り方向と同一方向に搬送するように構成されている。
【０００９】
このため、給紙ローラを回転駆動する給紙ローラ駆動ギアの回転方向の切換を、紙送りローラを回転駆動させる紙送りローラ駆動ギアに接続される揺動ギアによって制御している。
【００１０】
また、記録時、重ね記録をする前の記録準備位置への搬送時、排紙時におけるそれぞれの用紙の搬送経路は、給紙ローラの外周面のうちの例えば給紙トレイに対向する下部と反対側に位置する上部を通過するように形成されており、この給紙ローラの外周部の給紙トレイとほぼ反対側の部位には、ガイドローラが用紙の搬送経路に臨むようにして配設されている。
【００１１】
【発明が解決しようとする課題】
しかしながら、前述した従来の給紙装置においては、給紙時において給紙ローラの外周面の給紙トレイ側に位置する例えば下部を通過する用紙が、用紙を重ね記録をする前の記録準備位置へ搬送させる際には給紙ローラの外周面の例えば上部を通過するため、重ね記録をする前の記録準備位置への用紙の搬送時に用紙と接触する給紙ローラの表面は、用紙の搬送方向に対して逆方向に移動する。このため、用紙は、全体として紙送りローラと補助ローラとに挟持されて給紙方向に搬送されるものの、用紙の末尾側には給紙ローラによって用紙の移動方向に抗する力が加わり、駆動モータに加わる負荷が増加したり、給紙ローラの表面が摩耗したり、重ね記録をする前の記録準備位置へ搬送させる用紙がスリップして用紙の頭出し位置がずれてしまいインクを重ねる際に位置ずれを生じるなどの問題点があった。
【００１２】
そこで、紙送りローラおよび給紙ローラを１つの駆動モータで駆動することができるとともに、用紙の重ね記録をする前の記録準備位置への搬送時における搬送を円滑に行うことのできる給紙装置が求められている。
【００１３】
本発明はこれらの点に鑑みてなされたものであり、紙送りローラおよび給紙ローラを１つの駆動モータで駆動することができるとともに、用紙の重ね記録をする前の記録準備位置への搬送時の搬送を円滑に行うことのできる給紙装置を提供することを目的とする。
【００１４】
【課題を解決するための手段】
前述した目的を達成するため本発明に係る給紙装置の特徴は、駆動モータの回転駆動力が伝達され、紙送りローラに回転駆動力を伝達するための紙送りローラ駆動ギアと、紙送りローラ駆動ギアに常に噛合する中間ギアと、中間ギアに常に噛合するメインギアおよびこのメインギアと同軸上に形成されメインギアと一体回転するサブギアを具備する主伝達ギアと、主伝達ギアと同軸上に回転自在に支持された揺動板に回転可能にそれぞれ支持され、それぞれ主伝達ギアのサブギアに常に噛合する第１ギアおよび第２ギアを具備する揺動ギアと、給紙時における主伝達ギアの一方の回転方向への駆動にともなって揺動ギアの第１ギアが選択的に噛合される副伝達ギアと、記録時における主伝達ギアの他方の回転方向への駆動にともなって揺動ギアの第２ギアが選択的に噛合され、給紙ローラに回転駆動力を伝達するための副伝達ギアに常に噛合する給紙ローラ駆動ギアと、給紙時、記録時、重ね記録をする前の記録準備位置への搬送時、排紙時における駆動モータの回転方向を制御するための制御部とを有し、給紙ローラの周速が紙送りローラの周速より遅くなるように形成し、用紙に重ね記録をするために重ね記録をする前の記録準備位置への用紙の搬送を行う際には、揺動ギアの第２ギアが給紙ローラ駆動ギアに噛合した第２噛合状態を保持するように構成した点にある。
【００１５】
そして、このような構成を採用したことにより、紙送りローラおよび給紙ローラを１つの駆動モータで駆動することができるとともに、給紙ローラと紙送りローラとのそれぞれの周速差によって、用紙の重ね記録をする前の記録準備位置への搬送時に揺動ギアの第２ギアが給紙ローラ駆動ギアに噛合した状態を保持するように働く。その結果、用紙の重ね記録をする前の記録準備位置への搬送時に用紙は紙送りローラによって給紙方向に移動し、給紙ローラは、用紙と接触する給紙ローラの表面が用紙の搬送方向に沿って移動するように回転する。したがって、紙送りローラおよび給紙ローラを１つの駆動モータで駆動することができるとともに、用紙の重ね記録をする前の記録準備位置への搬送を円滑に行うことができる。
【００１６】
なお、給紙ローラの周速を紙送りローラの周速より遅くするには、紙送りローラ駆動ギアと給紙ローラ駆動ギアとの回転比あるいは径比により容易に達成できる。
【００１７】
【発明の実施の形態】
以下、本発明を図面に示す実施形態により説明する。
【００１８】
図１および図２は本発明に係る給紙装置の実施形態を示すものであり、図１は要部の正面図、図２はプリンタフレームに装着した状態の要部を示す斜視図である。
【００１９】
図１に示すように、本実施形態の給紙装置１は、紙送りローラ駆動ギア２を有している。この紙送りローラ駆動ギア２の左側には、紙送りローラ駆動ギア２と常に噛合するアイドルギア３が回転自在に配設されており、このアイドルギア３の左側には、アイドルギア３に常に噛合する２段ギアとされた出力ギア４が回転自在に配設されている。そして、出力ギア４の左側には、出力ギア４に常に噛合するピニオン５が配設されている。このピニオン５は、正・逆回転可能なサーボモータあるいはパルスモータなどからなる駆動モータ６の出力軸６ａに固着されており、駆動モータ６の回転駆動力が、ピニオン５、出力ギア４およびアイドルギア３をこの順に介して紙送りローラ駆動ギア２に伝達されるようにされている。また、駆動モータ６は、後述する制御部７に電気的に接続されており、制御部７から送出される制御指令に基づいて回転駆動されるようになっている。なお、駆動モータ６の回転駆動力を紙送りローラ駆動ギア２に伝達する構成としては、駆動モータ６の配設位置によってピニオン５とローラ駆動ギア２との間に介在させるギアの数を変更することができ、特に、本実施形態の構成に限定されるものではない。
【００２０】
前記紙送りローラ駆動ギア２の右側には、紙送りローラ駆動ギア２と常に噛合する中間ギア８が回転自在に配設されており、この中間ギア８の右側には、主伝達ギア９が回転自在に配設されている。そして、主伝達ギア９は、中間ギア８に常に噛合する大径のメインギア９ａと、このメインギア９ａと同軸上に形成されメインギア９ａと一体回転する小径のサブギア９ｂとを有する２段ギアにより形成されている。
【００２１】
前記主伝達ギア９を回転自在に支持している主伝達ギア支持軸１０の先端部側には、サブギア９ｂに常に噛合する第１ギア１１ａおよび第２ギア１１ｂを有する揺動ギア１１が配設されている。これらの第１ギア１１ａおよび第２ギア１１ｂは、主伝達ギア支持軸１０の先端部側に回転自在に支持された揺動板１１ｃに回転自在に支持されており、第１ギア１１ａおよび第２ギア１１ｂは、ともにサブギア９ｂの回転にともなってサブギア９ｂの外周面を主伝達ギア支持軸１０を中心として公転可能に形成されている。
【００２２】
前記揺動ギア１１の右下側には、第１ギア１１ａと選択的に噛合する副伝達ギア１３が回転自在に配設されており、この副伝達ギア１３は、給紙ローラ駆動ギア１２と常に噛合されている。
【００２３】
また、前記揺動ギア１１の右上側には、第２ギア１１ｂと選択的に噛合する給紙ローラ駆動ギア１２が回転自在に配設されている。
【００２４】
前記紙送りローラ駆動ギア２は、紙送りローラ１４の紙送りローラ駆動軸１４ａの一端に固着されている。この紙送りローラ駆動軸１４ａは、図２に示すように、プリンタフレーム１５の２つの側板１５ａによって、プリンタフレーム１５のほぼ中央部に回転自在に支持されており、その上部には、補助ローラ１６が従動回転可能に配設されている。また、プリンタフレーム１５の内部には、図示しない記録ヘッドが配設されており、紙送りローラ１４によって給紙される用紙Ｐ（図３、図４）の所定位置に文字や画像などの記録を施すことができるようになっている。なお、記録ヘッドとしては、プリンタの種類に応じたもの、例えばサーマルヘッド、ラインサーマルヘッド、インクジェットヘッド、活字ヘッドなどが使用される。さらにまた、記録ヘッドは、設計コンセプトなどの必要に応じて、紙送りローラ１４の左側、あるいは、紙送りローラ１４と後述する給紙ローラ２１との間などに配置することができる。
【００２５】
前記駆動モータ６は、図２手前側に示すプリンタフレーム１５の一方の側板１５ａに固着されており、この側板１５ａの外側面には、図１に示す出力ギア４を回転自在に支持する出力ギア支持軸１７、アイドルギア３を回転自在に支持するアイドルギア支持軸１８、中間ギア８を回転自在に支持する中間ギア支持軸１９、主伝達ギア９および揺動ギア１１を回転自在に支持する主伝達ギア支持軸１０、および、副伝達ギア１３を回転自在に支持する副伝達ギア支持軸２０などがその先端を外側に向けて立設されている。
【００２６】
前記給紙ローラ駆動ギア１２は、給紙ローラ２１の給紙ローラ駆動軸２１ａの一端に固着されている。この給紙ローラ駆動軸２１ａは、プリンタフレーム１５の両側板１５ａによって、プリンタフレーム１５の右端部近傍に紙送りローラ１４と平行に延在するようにして回転自在に支持されている。また、給紙ローラ２１の給紙ローラ駆動軸２１ａには、２つのローラ体２１ｂが適宜な間隔を隔てて固着されている。
【００２７】
前記給紙ローラ２１の下方には、従来公知の複数枚の用紙Ｐが収納された分離機構を具備する給紙トレイ（給紙カセット：図示せず）が装着可能とされており、用紙Ｐに所望の記録を行う場合には、給紙トレイに収納された最上部の用紙Ｐをローラ体２１ｂに下方から当接させた状態で給紙ローラ２１を回転駆動させることで、分離機構により上方から１枚づつ分離するとともに、紙送りローラ１４に向かって搬送することができるようにされている。また、給紙ローラ２１のローラ体２１ｂの上部には、ガイドローラ２２（図１）が配設されており、このガイドローラ２２は、後述する記録時、重ね記録をする前の記録準備位置への搬送時および排紙時における用紙Ｐの搬送経路に臨むように給紙ローラ２１とほぼ接触するように配設されている。
【００２８】
また、本実施形態においては、紙送りローラ駆動ギア２と給紙ローラ駆動ギア１２との回転比、あるいは、紙送りローラ１４と給紙ローラ２１との径比により、給紙ローラ２１の周速が紙送りローラ１４の周速より遅くなるように形成されている。
【００２９】
前記制御部７は、ＣＰＵと、適宜な容量のＲＯＭ、ＲＡＭなどにより形成されたメモリ（共に図示せず）とを有しており、プリンタフレーム１５の所望の位置に配設されている。そして、メモリには、少なくとも給紙動作制御を行うための制御プログラムたる搬送制御プログラムが記憶されている。この搬送制御プログラムとしては、用紙Ｐの給紙時および重ね記録をする前の記録準備位置への搬送時に、紙送りローラ１４を図１反時計方向へ回転させ、記録時および排紙時に紙送りローラ１４を図１時計方向へ回転させるように駆動モータ６の回転方向を制御するプログラムを例示できる。なお、記録時、重ね記録をする前の記録準備位置への搬送時および排紙時における用紙Ｐの搬送経路は、後述するように、給紙ローラ２１とガイドローラ２２との間を通過するように形成されている。
【００３０】
また、用紙Ｐとしては、普通紙、厚紙、樹脂シート、カードなどの各種のものを用いることができる。
【００３１】
つぎに、前述した構成からなる本実施形態の作用について説明する。
【００３２】
図１は本実施形態の給紙装置の初期状態を示しており、図３から図７は本実施形態の給紙装置による用紙の搬送動作の途中経過を実行順に説明する正面図である。
【００３３】
本実施形態の給紙装置１による用紙Ｐの搬送動作は、まず、給紙時の用紙Ｐの搬送を実行する。この給紙時の用紙Ｐの搬送動作は、図３に示すように、制御部７から送出される制御指令に基づいて駆動モータ６を一方の回転方向である図３時計方向に回転させることにより行う。そして、駆動モータ６を図３時計方向に回転させると、駆動モータ６の回転駆動力は、ピニオン５、出力ギア４およびアイドルギア３を介して紙送りローラ駆動軸１４ａの一端に取着された紙送りローラ駆動ギア２へ伝達し、紙送りローラ１４を駆動モータ６の回転方向と逆方向へ回転させる。すなわち、駆動モータ６を一方の回転方向である図３時計方向に回転させると、紙送りローラ駆動ギア２が図３反半時計方向に回転する。
【００３４】
前記紙送りローラ駆動ギア２の反時計方向への回転は、中間ギア８を介して主伝達ギア９のメインギア９ａに伝達し、メインギア９ａと一体回転する小径のサブギア９ｂを図３反時計方向へ回転させる。このサブギア９ｂの反時計方向への回転は、サブギア９ｂに噛合している揺動ギア１１の第１ギア１１ａおよび第２ギア１１ｂを、ともに主伝達ギア支持軸１０を中心としてサブギア９ｂの外周面に沿って反時計方向へ公転させ、揺動ギア１１の第１ギア１１ａを副伝達ギア１３に噛合した第１噛合状態とし、第１ギア１１ａを図３時計方向へ回転させる。この第１ギア１１ａの時計方向への回転は、副伝達ギア１３を反時計方向へ回転させ、副伝達ギア１３に噛合する給紙ローラ駆動ギア１２を紙送りローラ駆動ギア２とは逆方向の時計方向へ回転させる。これにより、給紙ローラ駆動軸２１ａに取着されている給紙ローラ２１が図３時計方向に回転し、給紙ローラ２１が上方から当接されている用紙Ｐは、給紙ローラ２１から紙送りローラ１４に向かう図３矢印Ａにて示す紙送り方向に沿って搬送される。
【００３５】
ついで、図３において破線にて示す用紙Ｐの紙送り方向の先頭に位置する先端縁Ｐａが、紙送りローラ１４と補助ローラ１６との間に挟持されると、用紙Ｐの搬送が紙送りローラ１４にひきつがれて、用紙Ｐは、紙送りローラ１４によって所定の記録準備位置に搬送される。この用紙Ｐが紙送りローラ１４によって記録準備位置に搬送された状態を図４に示す。
【００３６】
ついで、記録時の用紙Ｐの搬送を実行する。この記録時の用紙Ｐの搬送動作は、制御部７から駆動モータ６の回転方向を逆回転させる制御指令を送出することにより開始する。そして、制御部７から駆動モータ６の回転方向を逆回転させる制御指令が送出されると、図５に示すように、駆動モータ６の逆回転による回転駆動力は、ピニオン５、出力ギア４およびアイドルギア３を介して紙送りローラ駆動ギア２へ伝達し、紙送りローラ駆動ギア２を駆動モータ６の回転方向と逆方向へ回転させる。これにより紙送りローラ１４は、駆動モータ６の回転方向と逆方向へ回転する。すなわち、駆動モータ６を他方の回転方向である図５反時計方向に回転させると、紙送りローラ駆動ギア２とともに紙送りローラ１４が図５時計方向に回転する。
【００３７】
前記紙送りローラ駆動ギア２の時計方向への回転は、中間ギア８を介して主伝達ギア９のメインギア９ａに伝達し、メインギア９ａと一体回転する小径のサブギア９ｂを図５時計方向へ回転させる。このサブギア９ｂの時計方向への回転は、サブギア９ｂに噛合している揺動ギア１１の第１ギア１１ａおよび第２ギア１１ｂを、ともに主伝達ギア支持軸１０を中心としてサブギア９ｂの外周面に沿って時計方向へ公転させ、揺動ギア１１の第２ギア１１ｂを給紙ローラ駆動ギア１２に噛合した第２噛合状態とし、第２ギア１１ｂを図５反時計方向へ回転させる。そして、第２ギア１１ｂの反時計方向への回転は、第２ギア１１ｂに噛合する給紙ローラ駆動ギア１２を紙送りローラ駆動ギア２と同一の時計方向へ回転させる。
【００３８】
したがって、記録時における紙送りローラ１４は、用紙Ｐを図５矢印Ｂにて示すように、用紙Ｐの後端縁Ｐｂを先頭にして給紙時の紙送り方向に対して逆方向に搬送されることになる。
【００３９】
また、本実施形態においては、用紙Ｐが紙送りローラ１４によって図４に示す記録準備位置から図３に示す給紙時とは逆方向に搬送されるときに、紙送りローラ１４の左側に配設されている図示しない記録ヘッドが駆動されて用紙Ｐへの記録が行われる。つまり、用紙Ｐの給紙時に紙送りローラ１４を越えた部分に記録が施される。
【００４０】
さらに、重ね記録をする場合には、図６に示すように、図６において破線にて示す用紙Ｐの先端縁Ｐａが紙送りローラ１４と補助ローラ１６との間に挟持された状態で記録時の逆搬送が停止される。
【００４１】
ついで、重ね記録をする前の記録準備位置への搬送時の用紙Ｐの搬送を実行する。この重ね記録をする前の記録準備位置への用紙Ｐの搬送動作は、図７に示すように、制御部７から送出される制御指令に基づいて駆動モータ６を給紙時と同様に図７時計方向に回転させることにより行う。そして、駆動モータ６を図７時計方向に回転させると、紙送りローラ駆動ギア２が図７反半時計方向に回転する。
【００４２】
前記紙送りローラ駆動ギア２の反時計方向への回転は、給紙時と同様に、揺動ギア１１の第１ギア１１ａおよび第２ギア１１ｂを、ともに主伝達ギア支持軸１０を中心としてサブギア９ｂの外周面に沿って反時計方向へ公転させ、揺動ギア１１の第１ギア１１ａを副伝達ギア１３に噛合した第１噛合状態とし、副伝達ギア１３を反時計方向へ回転させ、副伝達ギア１３に噛合する給紙ローラ駆動ギア１２を紙送りローラ駆動ギア２とは逆方向の時計方向へ回転させようとする。
【００４３】
しかしながら、本実施形態においては、給紙ローラ２１の周速が紙送りローラ１４の周速より遅くなるように形成されているため、紙送りローラ１４によって搬送される用紙Ｐとの摩擦により、給紙ローラ２１が従動回転し、記録時における第２ギア１１ｂと給紙ローラ駆動ギア１２との噛合状態が解けない。その結果、給紙ローラ２１は、図７に矢印Ａにて示す用紙Ｐの搬送方向と順方向の図７反時計方向に回転駆動する。
【００４４】
ついで、用紙Ｐが図４に示す記録準備位置まで搬送されると用紙Ｐの搬送が停止され、その後前述した用紙Ｐの記録時の搬送が実行され、これによりつぎの色のインクによる記録が行われる。そして、つぎの色のインクを重ねるための用紙Ｐを記録準備位置に戻す重ね記録をする前の記録準備位置への搬送と、記録とを所定回数繰り返し、最後の記録を行った後、記録時の搬送が停止されずにそのまま継続され、用紙Ｐの先端縁Ｐａが紙送りローラ１４を外れた時点で、第２ギア１１ｂと給紙ローラ駆動ギア１２との噛合状態が解かれ、揺動ギア１１の第１ギア１１ａが副伝達ギア１３に噛合した第１噛合状態とされ、給紙ローラ２１が時計方向に回転することで、用紙Ｐを給紙ローラ２１とガイドローラ２２との間で挟持してそのまま外部に排出することで１枚の用紙Ｐに対する搬送動作が終了する。
【００４５】
なお、重ね記録を行わない場合には、最初の記録時の搬送動作が停止されずにそのまま継続され、用紙Ｐをそのまま外部に排出することで、１枚の用紙Ｐに対する搬送動作が終了する。
【００４６】
このように本実施形態の給紙装置１によれば、用紙Ｐの重ね記録をする前の記録準備位置への搬送時に、給紙ローラ２１と紙送りローラ１４とのそれぞれの周速差によって揺動ギア１１の第２ギア１１ｂが給紙ローラ駆動ギア１２に噛合した第２噛合状態を保持するので、重ね記録をする前の記録準備位置への搬送時に、用紙Ｐは紙送りローラ１４によって給紙方向に移動し、給紙ローラ２１は、用紙Ｐと接触する給紙ローラ１４の表面が用紙Ｐの搬送方向に沿って移動するように回転する。
【００４７】
したがって、本実施形態の給紙装置１によれば、紙送りローラ１４および給紙ローラ２１を１つの駆動モータ６で駆動することができるとともに、重ね記録をする前の記録準備位置への搬送時における用紙Ｐの搬送を円滑に行うことができる。
【００４８】
なお、本発明は、前記実施形態に限定されるものではなく、必要に応じて種々変更することができる。例えば、中間ギアを設けずに紙送りローラ駆動ギアの出力を主伝達ギアに直接伝達させる構成としてもよい。
【００４９】
【発明の効果】
以上説明したように本発明に係る給紙装置によれば、紙送りローラおよび給紙ローラを１つの駆動モータで駆動することができるとともに、重ね記録をする前の記録準備位置への搬送時における用紙の搬送を円滑に行うことができるなどの極めて優れた効果を奏する。
【図面の簡単な説明】
【図１】  本発明に係る給紙装置の実施形態の要部の正面図
【図２】  図１の給紙装置をプリンタフレームに装着した状態の要部を示す斜視図
【図３】  図１の給紙装置の搬送動作の途中経過における給紙時の状態を示す図１と同様の図
【図４】  図１の給紙装置の搬送動作の図３に続く途中経過における用紙が紙送りローラによって記録準備位置に搬送された状態を示す図１と同様の図
【図５】  図１の給紙装置の搬送動作の図４に続く途中経過における記録時の状態を示す図１と同様の図
【図６】  図１の給紙装置の搬送動作の図５に続く途中経過における記録時の用紙の搬送が停止された状態示す図１と同様の図
【図７】  図１の給紙装置の搬送動作の図６に続く途中経過における用紙の重ね記録をする前の記録準備位置への搬送時の状態を示す図１と同様の図
【符号の説明】
１  給紙装置
２  紙送りローラ駆動ギア
６  駆動モータ
７  制御部
８  中間ギア
９  主伝達ギア
９ａ  メインギア
９ｂ  サブギア
１１  揺動ギア
１１ａ  第１ギア
１１ｂ  第２ギア
１１ｃ  揺動板
１２  給紙りローラ駆動ギア
１３  副伝達ギア
１４  紙送りローラ
１４ａ  紙送りローラ駆動軸
２１  給紙ローラ
２１ａ  給紙ローラ駆動軸
２２  ガイドローラ
Ｐ  用紙
Ｐａ  先端縁
Ｐｂ  後端縁
【図１】
0003803558.tif 000002
【図２】
0003803558.tif 000003
【図３】
0003803558.tif 000004
【図４】
0003803558.tif 000005
【図５】
0003803558.tif 000006
【図６】
0003803558.tif 000007
【図７】
0003803558.tif 000008